(57)【要約】【課題】所望の照射範囲を好適に照明する。【解決手段】灯具１は、前後方向に沿った光軸Ａｘを中心に前方へ略放射状に光を出射させるＬＥＤ２と、ＬＥＤ２の前方に配置された導光レンズ３とを備える。導光レンズ３は、後面のうちＬＥＤ２と対向する部分に設けられ、ＬＥＤ２の位置を中心とする略半球状に形成された入射面３１と、前面のうちＬＥＤ２の前方に、光軸Ａｘ上の位置を先端として前方へ突設された円錐状の突起部３３と、前面のうち突起部３３の周囲に設けられ、光軸Ａｘ上の前方に位置する焦点Ｆを有する双曲面状に形成されて、入射面３１からの光を後方斜め側方へ内部反射させつつ前方へ光を出射可能な前部光学面３４と、後面のうち入射面３１の周囲に設けられ、前部光学面３４と同一の焦点Ｆを有する自由曲面状に形成されて、前部光学面３４で内部反射された光を前方へ内部反射させる後部反射面３２とを有する。【選択図】図１
2015118818.tif 000002
【特許請求の範囲】
【請求項１】
前後方向に沿った光軸を有し、当該光軸を中心に前方へ略放射状に光を出射させるＬＥＤと、
前記ＬＥＤの前方に配置され、当該ＬＥＤから出射された光を配光制御しつつ前方へ照射する導光レンズと、
を備える灯具であって、
前記導光レンズは、
当該導光レンズの後面のうち前記ＬＥＤと対向する部分に設けられるとともに、前記ＬＥＤの位置を中心とする略半球状に形成され、前記ＬＥＤから出射された光を当該導光レンズ内に入射させる入射面と、
当該導光レンズの前面のうち前記ＬＥＤの前方に位置する部分に、前記光軸上の位置を先端として前方へ突設された錐状の突起部と、
当該導光レンズの前面のうち前記突起部の周囲に設けられるとともに、前記光軸上の前方に位置する焦点を有する双曲面状に形成され、前記入射面から当該導光レンズ内に入射した光を後方斜め側方へ内部反射させつつ前方へ光を出射可能な前部光学面と、
当該導光レンズの後面のうち前記入射面の周囲に設けられるとともに、前記前部光学面と同一の前記焦点を有する自由曲面状に形成され、前記前部光学面で内部反射された光を前方へ内部反射させる後部反射面と、
を有することを特徴とする灯具。
【請求項２】
前記突起部は、
前記入射面から当該突起部の周面への光の入射角が臨界角以上となる部分を含み、
前記入射面からの光を一方の周面で内部反射させた後に他方の周面で後方斜め側方へ屈折させつつ出射させ、
前記前部光学面は、前記突起部から出射された光を前方斜め側方へ反射させることを特徴とする請求項１に記載の灯具。
【請求項３】
前記前部光学面は、前記入射面からの光の入射角が略臨界角未満となる低臨界角部分と、当該入射角が略臨界角以上となる高臨界角部分とを有するとともに、このうちの前記低臨界角部分がアルミ蒸着面であることを特徴とする請求項１又は２に記載の灯具。
【請求項４】
前記後部反射面がアルミ蒸着面であることを特徴とする請求項３に記載の灯具。
【請求項５】
前記前部光学面のうちの前記低臨界角部分と、前記後部反射面との少なくとも一方が、ハーフミラー面であることを特徴とする請求項４に記載の灯具。
【発明の詳細な説明】
【技術分野】
【０００１】
本発明は、灯具に関し、特に、ＬＥＤ（発光ダイオード）からの光を導光レンズで配光制御する灯具に関する。
【背景技術】
【０００２】
近年、一般照明用などの各種の灯具として、環境性能に優れるＬＥＤを光源としたものが多く提案され、実用化されてきている。このような灯具では、一般に、ＬＥＤの前方に配置した導光レンズによって、ＬＥＤからの光を所望の配光となるよう制御して照射させている。
【０００３】
具体的には、例えば特許文献１に記載の灯具では、図５に示すように、ＬＥＤが導光レンズの後面中央に対向配置されており、導光レンズが、その前面中央に形成された断面Ｖ字状の第一反射面と、その側方に形成された放物面状の第二反射面とを有している。そして、ＬＥＤから前方へ出射されて導光レンズ内に入射した光を、第一反射面で側方へ反射させた後に第二反射面で平行光にしつつ前方へ反射させて、出射面から前方へ照射させている。
【先行技術文献】
【特許文献】
【０００４】
【特許文献１】特開２００５−１９０６６９号公報
【発明の概要】
【発明が解決しようとする課題】
【０００５】
しかしながら、上記特許文献１に記載の灯具では、前方への強い指向性を有する配光となるため、所望の照射範囲を照らすように配光制御することができない。したがって、当該灯具を照明器具に適用した場合には、灯具直下だけが極端に眩しくなり、目が疲れてしまう。
【０００６】
本発明は、上記課題を鑑みてなされたもので、所望の照射範囲を好適に照らすことができる灯具の提供を目的とする。
【課題を解決するための手段】
【０００７】
上記目的を達成するために、請求項１に記載の発明は、
前後方向に沿った光軸を有し、当該光軸を中心に前方へ略放射状に光を出射させるＬＥＤと、
前記ＬＥＤの前方に配置され、当該ＬＥＤから出射された光を配光制御しつつ前方へ照射する導光レンズと、
を備える灯具であって、
前記導光レンズは、
当該導光レンズの後面のうち前記ＬＥＤと対向する部分に設けられるとともに、前記ＬＥＤの位置を中心とする略半球状に形成され、前記ＬＥＤから出射された光を当該導光レンズ内に入射させる入射面と、
当該導光レンズの前面のうち前記ＬＥＤの前方に位置する部分に、前記光軸上の位置を先端として前方へ突設された錐状の突起部と、
当該導光レンズの前面のうち前記突起部の周囲に設けられるとともに、前記光軸上の前方に位置する焦点を有する双曲面状に形成され、前記入射面から当該導光レンズ内に入射した光を後方斜め側方へ内部反射させつつ前方へ光を出射可能な前部光学面と、
当該導光レンズの後面のうち前記入射面の周囲に設けられるとともに、前記前部光学面と同一の前記焦点を有する自由曲面状に形成され、前記前部光学面で内部反射された光を前方へ内部反射させる後部反射面と、
を有することを特徴とする。
【０００８】
請求項２に記載の発明は、請求項１に記載の灯具において、
前記突起部は、
前記入射面から当該突起部の周面への光の入射角が臨界角以上となる部分を含み、
前記入射面からの光を一方の周面で内部反射させた後に他方の周面で後方斜め側方へ屈折させつつ出射させ、
前記前部光学面は、前記突起部から出射された光を前方斜め側方へ反射させることを特徴とする。
【０００９】
請求項３に記載の発明は、請求項１又は２に記載の灯具において、
前記前部光学面は、前記入射面からの光の入射角が略臨界角未満となる低臨界角部分と、当該入射角が略臨界角以上となる高臨界角部分とを有するとともに、このうちの前記低臨界角部分がアルミ蒸着面であることを特徴とする。
【００１０】
請求項４に記載の発明は、請求項３に記載の灯具において、
前記後部反射面がアルミ蒸着面であることを特徴とする。
【００１１】
請求項５に記載の発明は、請求項４に記載の灯具において、
前記前部光学面のうちの前記低臨界角部分と、前記後部反射面との少なくとも一方が、ハーフミラー面であることを特徴とする。
【発明の効果】
【００１２】
本発明によれば、ＬＥＤから前方へ略放射状に出射された光が、ＬＥＤの位置を中心とする略半球状の入射面を通じて殆ど屈折されることなく導光レンズ内に入射した後に、中央部のものが錐状の突起部に入射し、それよりも側方側へのものが光軸上前方の焦点を有する双曲面状の前部光学面に入射する。このうち、突起部に入射した光は、当該突起部の周面を通じて斜め前方へ屈折されつつ出射される。一方、前部光学面に入射した光は、当該前部光学面で後方斜め側方へ内部反射された後に、前部光学面と同一の焦点を有する自由曲面状の後部反射面によって、あたかも当該焦点からの光が反射されるようにして前方へさらに内部反射されてから、前部光学面を通じて斜め側方へ屈折されつつ前方へ出射される。
したがって、前方への強い指向性を有していた従来と異なり、出射光を好適に拡散させつつ、自由曲面状の後部反射面を適切に設定することによって任意の配光制御を行うことができ、ひいては、所望の照射範囲を好適に照らすことができる。
【図面の簡単な説明】
【００１３】
【図１】（ａ）実施形態における灯具の断面図であり、（ｂ）（ａ）のＥ部の拡大図である。
【図２】実施形態における灯具での光線軌跡を示す図である。
【図３】実施形態における灯具での光線軌跡を示す図である。
【図４】実施形態における灯具の変形例を示す図である。
【図５】従来の灯具の断面図である。
【発明を実施するための形態】
【００１４】
以下、本発明の実施形態について、図面を参照して説明する。
図１（ａ）は、本実施形態における灯具１の要部の断面図であり、図１（ｂ）は、図１（ａ）のＥ部の拡大図である。
なお、以下の説明において、「前」「後」との記載は、特に断りのない限り、灯具１から見た方向を意味するものとする。
【００１５】
図１（ａ），（ｂ）に示すように、灯具１は、光源であるＬＥＤ（発光ダイオード）２と、このＬＥＤ２からの光を配光制御する導光レンズ３とを備えている。
このうち、ＬＥＤ２は、その光軸Ａｘが前後方向に沿うように発光面を前方に向けた状態に配置されており、当該光軸Ａｘを中心に前方へ略放射状に光を出射させる。より詳しくは、ＬＥＤ２は、ランバーシャンの指向特性を有しており、光軸Ａｘを基準とする出射角が小さい出射方向ほど光量がより多くなる。
【００１６】
導光レンズ３は、ＬＥＤ２の前方に配置されて、当該ＬＥＤ２から出射された光を配光制御しつつ前方へ照射するものである。この導光レンズ３は、前方へ開口する略湾曲板状に形成されており、本実施形態では、ＬＥＤ２の光軸Ａｘを回転対称軸とする軸対称形状に形成されている。
【００１７】
導光レンズ３の後面のうち、ＬＥＤ２と対向する中央部には、ＬＥＤ２から出射された光を当該導光レンズ３内に入射させる入射面３１が設けられている。この入射面３１は、ＬＥＤ２の位置を中心として後方へ開口する略半球面状に形成されており、ＬＥＤ２から前方へ出射された光を殆ど屈折させることなく導光レンズ３内に入射させる。
【００１８】
また、導光レンズ３の後面のうち、入射面３１の周囲であって当該入射面３１を除く後面の略全面は、後述の前部光学面３４で後方へ内部反射された光を前方へ内部反射させる後部反射面３２となっている。この後部反射面３２は、光軸Ａｘ上の前方に位置する焦点Ｆを有する自由曲面状に形成されるとともに、透過率がほぼ０％のアルミニウム皮膜が蒸着されたアルミ蒸着面となっている。
【００１９】
導光レンズ３の前面のうち、ＬＥＤ２の前方に位置する中央部には、光軸Ａｘ上の位置を先端として前方へ突設された直円錐状の突起部３３が設けられている。この突起部３３は、後述するように、入射面３１から導光レンズ３内に入射してきた光をその周面で反射又は屈折させるプリズム部である。また、突起部３３は、当該突起部３３の周面に入射する入射面３１からの光の入射角が当該周面内で臨界角となるような高さ（頂角α）に形成されている。
【００２０】
また、導光レンズ３の前面のうち、突起部３３の周囲であって当該突起部３３を除く前面の略全面は、光を反射させたり前方へ出射させたりする前部光学面３４となっている。この前部光学面３４は、後部反射面３２と同一の焦点Ｆを有する双曲面状に形成されている。
【００２１】
この前部光学面３４のうち、突起部３３の外周縁に連なる中央側の部分（図中の太線部）は、前部反射面３４１となっている。この前部反射面３４１は、透過率がほぼ０％のアルミニウム皮膜が蒸着されたアルミ蒸着面となっており、後述するように、入射面３１から導光レンズ３内に入射してきた光を後方斜め側方へ内部反射させるとともに、突起部３３（の周面）から後方斜め側方へ出射された光を前方斜め側方へ反射させる。
この前部反射面３４１の外周縁は、前部光学面３４のうち、入射面３１から導光レンズ３内に入射してきた光の入射角が略臨界角となる位置である。一方、前部反射面３４１の内周縁（つまり突起部３３の外周縁）は、当該内周縁で後方斜め側方へ内部反射されて後部反射面３２で前方へ内部反射された光が当該前部反射面３４１の外周縁に入射する位置よりもやや側方側の位置となっている。すなわち、前部反射面３４１は、前部光学面３４のうち、入射面３１からの光の入射角が略臨界角未満となる範囲内であって、その反射光が後部反射面３２を介して再び当該前部反射面３４１に入射することのない範囲内に形成されている。
【００２２】
一方、前部光学面３４のうち、前部反射面３４１よりも側方側の部分は、入射面３１から導光レンズ３内に入射してきた光を内部反射させるとともに、後部反射面３２で内部反射された光を前方へ出射させる出射面３４２となっている。この出射面３４２は、前部光学面３４のうち、入射面３１からの光の入射角が略臨界角以上となる部分であるため、アルミニウム皮膜などの反射膜を必要とすることなく、入射面３１からの光を内部反射可能となっている。
【００２３】
続いて、灯具１の光照射態様について説明する。
図２及び図３は、灯具１での光線軌跡を示す図である。
【００２４】
灯具１では、ＬＥＤ２を発光させると、このＬＥＤ２から前方へ略放射状に出射された光が入射面３１から導光レンズ３内に入射する。このとき、入射面３１がＬＥＤ２の位置を中心とする略半球状に形成されているため、入射光は、入射面３１を通じて殆ど屈折されることなく導光レンズ３内に入射する。
【００２５】
導光レンズ３内に入射した入射光のうち、光軸Ａｘ周辺の中央部のものは、導光レンズ３の前部中央の突起部３３に入射する。
突起部３３に入射した光のうち、臨界角以上の入射角で突起部３３の周面に入射した中央側のものは、図２（ａ）に示すように、光路Ｒ１を通って前方へ照射される。この光路Ｒ１では、突起部３３の周面に入射した光が、光軸Ａｘよりも一方の側方側の当該周面で内部反射された後に、この周面の位置とは光軸Ａｘを挟んだ反対側（他方の側方側）の周面によって後方斜め側方へ屈折されつつ導光レンズ３外へ出射される。そして、この光は、アルミ蒸着面である前部反射面３４１によって前方斜め側方へ反射される。
一方、突起部３３に入射した光のうち、臨界角未満の入射角で突起部３３の周面に入射した側方側のものは、図２（ｂ）に示すように、光路Ｒ２を通って前方へ照射される。この光路Ｒ２では、突起部３３の周面に入射した光が、当該周面を通じて斜めに屈折されつつ前方へ出射される。
【００２６】
ここで、突起部３３に入射した光が２つの光路Ｒ１，Ｒ２にどのように配分されるかは、突起部３３の高さ、つまり頂角α（図１（ｂ）参照）に依存している。そして、この頂角αは、光路Ｒ１を通る光が多くなるように、小さ過ぎも大き過ぎもしない角度であることが好ましい。頂角αをこのような角度とすることで、比較的に光量の多い光軸Ａｘ周辺の光をより側方へ拡散させることができる。
【００２７】
なお、この突起部３３の頂角αは、２つの光路Ｒ１，Ｒ２から外れる光が生じない範囲に設定されることは勿論である。
例えば、前部反射面３４１の内周縁の幅Ｄ１＝１２．３ｍｍ、外周縁の幅Ｄ２＝３４．４ｍｍであった場合（図１（ｂ）参照）、光路Ｒ１となる頂角αの範囲は、８３°＜α＜８７°であり、光路Ｒ２となる頂角αの範囲は、９４°≦αである。頂角αがこれらの範囲を外れると、突起部３３に入射した光が２つの光路Ｒ１，Ｒ２の何れからも外れてしまう。具体的には、頂角αが８７°≦α＜９４°であった場合には、光が突起部３３の周面で二回反射して後方へ戻ってしまう。また、頂角αがα≦８３°であった場合には、光が突起部３３の周面で内部反射及び出射された後に、前部反射面３４１よりも側方側の出射面３４２に入射してしまう。
【００２８】
また、導光レンズ３内に入射した入射光のうち、突起部３３よりも側方側に向かうものは、導光レンズ３の前面の前部光学面３４によって後方斜め側方へ内部反射される。
より詳しくは、入射光のうち、略臨界角未満の入射角で前部光学面３４に入射したものは、図３（ａ）に示すように、光路Ｒ３を通って前方へ照射される。この光路Ｒ３では、前部光学面３４に入射した光が、まず、前部光学面３４のうちアルミ蒸着面である前部反射面３４１によって後方斜め側方へ内部反射される。
一方、入射光のうち、略臨界角以上の入射角で前部光学面３４に入射したものは、図３（ｂ）に示すように、光路Ｒ４を通って前方へ照射される。この光路Ｒ４では、前部光学面３４に入射した光が、まず、前部光学面３４のうちの出射面３４２によって後方斜め側方へ内部反射される。
そして、前部光学面３４（前部反射面３４１又は出射面３４２）で内部反射されたこれらの光は、光路Ｒ３及び光路Ｒ４の何れを通るものも、前部光学面３４と同一の焦点Ｆを有する後部反射面３２によって、あたかも焦点Ｆから出射された光が反射されるようにして前方へさらに内部反射された後に、出射面３４２を通じて斜め側方へ屈折されつつ前方へ出射される。
【００２９】
以上のように、本実施形態の灯具１によれば、ＬＥＤ２から前方へ略放射状に出射された光が、ＬＥＤ２の位置を中心とする略半球状の入射面３１を通じて殆ど屈折されることなく導光レンズ３内に入射した後に、中央部のものが円錐状の突起部３３に入射し、それよりも側方側へのものが光軸Ａｘ上前方の焦点Ｆを有する双曲面状の前部光学面３４に入射する。このうち、突起部３３に入射した光は、当該突起部３３の周面を通じて斜め前方へ屈折されつつ出射される。一方、前部光学面３４に入射した光は、当該前部光学面３４で後方斜め側方へ内部反射された後に、前部光学面３４と同一の焦点Ｆを有する自由曲面状の後部反射面３２によって、あたかも当該焦点Ｆからの光が反射されるようにして前方へさらに内部反射されてから、前部光学面３４（出射面３４２）を通じて斜め側方へ屈折されつつ前方へ出射される。
したがって、前方への強い指向性を有していた従来と異なり、出射光を好適に拡散させつつ、自由曲面状の後部反射面３２を適切に設定することによって任意の配光制御を行うことができ、ひいては、所望の照射範囲を好適に照らすことができる。
【００３０】
また、突起部３３が、入射面３１から当該突起部３３の周面への光の入射角が臨界角以上となる部分を含むとともに、入射面３１からの光を一方の周面で内部反射させた後に他方の周面で後方斜め側方へ屈折させつつ出射させ、前部光学面３４（前部反射面３４１）が、この突起部３３から出射された光を前方斜め側方へ反射させるので、ＬＥＤ２から光軸Ａｘ周辺の中央部に出射された光量の多い光を、前方斜め側方へ照射させることができる。したがって、より発光ムラの少ない均一な発光態様を実現することができる。
【００３１】
また、前部光学面３４が、入射面３１からの光の入射角が略臨界角未満となる前部反射面３４１と、当該入射角が略臨界角以上となる出射面３４２とを有するとともに、このうちの前部反射面３４１がアルミ蒸着面であるので、前部光学面３４のうち、入射面３１からの光を反射させるためにアルミ蒸着面とすべき範囲を最小限に抑え、ひいては、アルミ蒸着面での反射に伴う光量ロス（例えば１５％程度）を最小限に抑えることができる。
【００３２】
また、前部反射面３４１に加えて後部反射面３２もアルミ蒸着面であるので、入射面３１から出射面３４２に入射して当該出射面３４２及び後部反射面３２で反射される光（光路Ｒ４のもの）は、入射面３１から前部反射面３４１に入射して当該前部反射面３４１及び後部反射面３２で反射される光（光路Ｒ３のもの）よりも、ＬＥＤ２からの出射角が大きく、相対的に光量が少ないものの、アルミ蒸着面での反射回数が１回少ないために、その分だけ光量ロスも少なくなる。したがって、光路Ｒ３を経て照射される光と、光路Ｒ４を経て照射される光との光量の均等化を図ることができ、ひいては、より発光ムラの少ない均一な発光態様を実現することができる。
さらに、これらのアルミ蒸着面での反射を介した光は拡散光となるため、単純にレンズを透過して照射されるものと異なり、より柔らかい感じの照射光を得ることができる。
【００３３】
また、主に光路Ｒ４を経て照射される光により、ＬＥＤ２から前方への光を側方へ広げて導光レンズ３の前面を広く発光させることができるので、ＬＥＤからの光を単純に前方へ照射させる場合に比べ、発光面の輝度を下げてグレアを抑制することができる。
【００３４】
また、導光レンズ３の前面及び後面が、主に、光軸Ａｘ上の前方に位置する焦点Ｆを有する双曲面状の前部光学面３４と、この前部光学面３４と同一の焦点Ｆを有する自由曲面状の後部反射面３２とからなるので、例えば前方への凸面を有するレンズなどに比べ、当該導光レンズ３の前後の厚みを薄くしつつ、広角配光を実現することができる。さらに、導光レンズ３の前後の厚みを薄くできることにより、成形型での導光レンズ３の成形性を向上させることができる。
【００３５】
なお、本発明を適用可能な実施形態は、上述した実施形態に限定されることなく、本発明の趣旨を逸脱しない範囲で適宜変更可能である。
【００３６】
例えば、導光レンズ３は、図４（ａ）に示すように、アルミ蒸着面を設けないものとしてもよい。具体的には、後部反射面３２に代えて、アルミニウム皮膜が蒸着されていない後部反射面３２Ａを設けるとともに、前部光学面３４に代えて、前部反射面３４１がアルミ蒸着面とされていない前部光学面３４Ａを設けてもよい。このように構成することにより、入射面３１から前部光学面３４Ａに入射した光のうち臨界角未満の入射角のものが、当該前部光学面３４Ａを通じて斜め側方へ屈折されつつ前方へ出射されることとなる。また、突起部３３から後方斜め側方へ屈折されつつ出射された光が、前部光学面３４Ａから導光レンズ３内に再び入射した後に、後部反射面３２から後方へ出射されることとなる。これにより、後方も含む導光レンズ３の全周へ光を出射させることができる。
【００３７】
また、導光レンズ３は、図４（ｂ）に示すように、突起部３３の形状を変更しつつ、アルミ蒸着面を設けないものとしてもよい。具体的には、後部反射面３２に代えて、アルミニウム皮膜が蒸着されていない後部反射面３２Ｂを設けるとともに、前部光学面３４に代えて、アルミ蒸着面である前部反射面３４１を有しておらず、入射面３１からの光の入射角と後部反射面３２Ｂに入射する光の入射角とが何れも臨界角以上となるような前部光学面３４Ｂを設け、さらにこれに伴って、突起部３３に代えて、外周縁が前部光学面３４Ｂの内周縁まで拡大された突起部３３Ｂを設けてもよい。このように構成することにより、アルミ蒸着面での反射に伴う光量ロスを生じさせることなく光を前方へ出射させることができ、ひいては、光束利用率を向上させつつ光を前方へ照射させることができる。
【００３８】
また、導光レンズ３は、図４（ｃ）に示すように、後部反射面３２及び前部反射面３４１に代えて、入射した光を一部透過させつつ反射させる（例えば透過率５０％の）反射膜が被膜された、いわゆるハーフミラー面である後部反射面３２Ｃ及び前部反射面３４１Ｃが設けられたものとしてもよい。このように構成することにより、後方も含めた任意の方向へ広く光を照射させることができる。
また、後部反射面３２及び前部反射面３４１のどちらか一方だけをハーフミラー面としてもよい。
【００３９】
また、導光レンズ３は、光軸Ａｘを対称軸とする軸対称形状でなくともよく、例えば正面視で矩形状であってもよいし、前後方向と直交する一方向に沿って長尺な形状であってもよい。
【００４０】
また、突起部３３は、錐状に形成されていれば円錐状でなくともよく、導光レンズ３全体の形状やＬＥＤ２のチップ配列などに応じて、当該突起部３３で所望の配光制御が可能な形状であってよい。
【００４１】
また、灯具１は、特に限定はされないが、例えば一般照明用のものとして、屋内・屋外を問わず好適に適用することができる。なかでも、目に優しい柔らかな配光が可能であることから、例えば高齢者住宅や病院，或いはこれに類する施設などでの照明用として、特に好適に適用することができる。
【符号の説明】
【００４２】
１              灯具
２              ＬＥＤ
Ａｘ          光軸
３              導光レンズ
３１          入射面
３２，３２Ａ，３２Ｂ，３２Ｃ  後部反射面
３３，３３Ｂ  突起部
α          頂角
３４，３４Ａ，３４Ｂ  前部光学面
Ｆ          焦点
３４１，３４１Ｃ  前部反射面（低臨界角部分）
３４２      出射面（高臨界角部分）
Ｒ１〜Ｒ４      光路
【図１】
2015118818.tif 000003
【図２】
2015118818.tif 000004
【図３】
2015118818.tif 000005
【図４】
2015118818.tif 000006
【図５】
2015118818.tif 000007